(57)【要約】  表示領域の端部やユーザの指に隠れたアイコンの視認性を向上させる。  アイコンの移動元の位置と移動先の位置との距離が短いときは、迂回して移動するように表示する。
2013047541.tif 000002
【特許請求の範囲】
【請求項１】
表示手段と、
前記表示手段に表示されたアイコンが第１の位置から第２の位置まで移動するように表示する表示制御部を備える表示装置であって、
前記第１の位置と前記第２の位置との距離が所定の値よりも小さいときは、前記アイコンが前記第１の位置から前記第２の位置へ迂回して移動するように表示することを特徴とする表示装置。
【請求項２】
前記第１の位置は、操作前に前記アイコンが表示されているメイン領域の端部であり、前記第２の位置は前記アイコンが前記表示手段から消える位置であることを特徴とする、請求項１に記載の表示装置。
【請求項３】
前記表示制御部は、前記アイコンが前記第１の位置から前記第２の位置まで移動するときに、前記メイン領域を前記第２の位置から前記第１の位置へ向かう方向に移動または縮小するように表示し、それにより前記メイン領域の外部に生じた領域を仮想外部領域とすることを特徴とする、請求項２に記載の表示装置。
【請求項４】
前記表示制御部は、前記アイコンがドラッグされているときに、前記メイン領域を前記ドラッグとは逆の方向に移動または縮小するように表示し、それにより前記メイン領域の外部に生じた領域を仮想外部領域とすることを特徴とする、請求項２に記載の表示装置。
【請求項５】
前記表示制御部は、前記仮想外部領域を複数の領域に分け、前記アイコンが前記仮想外部領域のうち、どの領域でドロップされたかによって動作を変更することを特徴とする、請求項４に記載の表示装置。
【請求項６】
前記表示制御部は、前記第１の位置で複数の前記アイコンがドロップされると、前記アイコンが一つずつ前記表示装置の表示領域外に出ていくように表示することを特徴とする、請求項４または５に記載の表示装置。
【請求項７】
前記表示制御部は、前記アイコンが所定の値より大きいとき、前記アイコンのドラッグに応じて前記アイコンを縮小することを特徴とする、請求項４から６のいずれか一つに記載の表示装置。
【請求項８】
前記表示制御部は、前記仮想外部領域と前記メイン領域との間に、前記表示装置の額縁部分を仮想的に表す仮想額縁表示を行うことを特徴とする、請求項３から７のいずれか一つに記載の表示装置。
【請求項９】
前記表示制御部は、前記仮想額縁表示を複数の領域に分割し、前記アイコンが前記仮想額縁表示の分割された領域のうちどこを通過したかによって動作を変更することを特徴とする、請求項８に記載の表示装置。
【請求項１０】
前記表示制御部は、前記アイコンが前記第１の位置から前記第２の位置まで紙のように翻って移動するように表示することを特徴とする、請求項１から９のいずれか一つに記載の表示装置。
【請求項１１】
前記表示制御部は、他の表示装置でのドラッグ操作を、自己の表示装置のアイコンに対するドラッグ操作とみなすことを特徴とする、請求項１から１０のいずれか一つに記載の表示装置。
【請求項１２】
表示手段に表示されたアイコンが第１の位置から第２の位置まで移動するように表示する表示制御ステップを含む表示方法であって、
前記第１の位置と前記第２の位置との距離が所定の値よりも小さいときは、前記アイコンが前記第１の位置から前記第２の位置へ迂回して移動するように表示することを特徴とする表示方法。
【発明の詳細な説明】
【技術分野】
【０００１】
本発明は、画面表示の視認性を高める表示装置および表示方法に関する。
【背景技術】
【０００２】
タッチパネルに表示されたアイコンを指などでドラッグすることにより、アイコンの移動を行う機器が知られている。このような機器においては、アイコンを特定の領域まで移動させたり、別のアイコンに重ねたりすることにより、様々な機能を実行することができる。【０００３】
例えば、特許文献１には、個人カード画面を端部領域までドラッグさせることによって、個人カードデータを他の機器に送信する技術が開示されている。【０００４】
また、特許文献２には、データが送信されていることを分かりやすくするため、送信先の装置に向けてアイコンのドラッグが行われると、アイコンをその方向に移動させた後に表示領域外に出ていくようなアニメーションを表示する技術が開示されている。
【先行技術文献】
【特許文献】
【０００５】
【特許文献１】特開２００３−１５２６１５号公報
【特許文献２】特開２００３−３２５０７号公報
【発明の概要】
【発明が解決しようとする課題】
【０００６】
しかしながら、特許文献１に記載の装置において、特許文献２に記載されているようなアニメーションを行おうとすると、ドラッグが終了した時点でアイコンは端部領域にあるため、そこから表示領域外に移動するようなアニメーションを行っても、アイコンの移動距離や表示時間が短くなってしまい、何が行われたかをユーザが理解しづらいという問題があった。【０００７】
また、アイコンが端部にある場合に限らず、アイコンが表示領域内を移動する場合においても、アイコンの移動距離が短いときは同様にその変化が見えづらかった。加えて、ドラッグが終了した時点では指がアイコンの近くに存在するため、アイコンが指に隠れてしまい、さらに見えづらくなっていた。【０００８】
そこで本発明は、アイコンが端部や、指などの指示体の下にあるためにその移動などの状態変化が分かりづらいという課題を解決することを目的とする。
【課題を解決するための手段】
【０００９】
上記課題を解決するために、本発明にかかる第１の表示装置は、表示手段と、前記表示手段に表示されたアイコンが第１の位置から第２の位置まで移動するように表示する表示制御部を備える表示装置であって、前記第１の位置と前記第２の位置との距離が所定の値よりも小さいときは、前記アイコンが前記第１の位置から前記第２の位置へ迂回して移動するように表示することを特徴としている。【００１０】
これにより、アイコンの移動距離が短い場合に、アイコンの移動を長い時間表示することができ、結果としてアイコンがどのように移動したかをユーザに分かりやすく示すことができる。【００１１】
本発明にかかる第２の表示装置は、第１の発明の構成に加え、前記第１の位置は、操作前に前記アイコンが表示されているメイン領域の端部であり、前記第２の位置は前記アイコンが前記表示手段から消える位置であることを特徴としている。【００１２】
これにより、アイコンが表示装置の端部から消えるように移動する場合において、その移動の様子をユーザに分かりやすく示すことができる。【００１３】
本発明にかかる第３の表示装置は、第２の発明の構成に加え、前記表示制御部は、前記アイコンが前記第１の位置から前記第２の位置まで移動するときに、前記メイン領域を前記第２の位置から前記第１の位置へ向かう方向に移動または縮小するように表示し、それにより前記メイン領域の外部に生じた領域を仮想外部領域とすることを特徴としている。【００１４】
これにより、アイコンが表示装置から外に出ていく様子を仮想的に表現することができ、その移動の様子をユーザにより分かりやすく示すことができる。【００１５】
本発明にかかる第４の表示装置は、第２の発明の構成に加え、前記表示制御部は、前記アイコンがドラッグされているときに、前記メイン領域を前記ドラッグとは逆の方向に移動または縮小するように表示し、それにより前記メイン領域の外部に生じた領域を仮想外部領域とすることを特徴としている。【００１６】
これにより、アイコンが表示装置から外に出ていく様子を仮想的に表現することができ、さらにはどの位置までアイコンをドラッグすれば転送などの機能が実行されるかが分かりやすくなる。【００１７】
本発明にかかる第５の表示装置は、第４の発明の構成に加え、前記表示制御部は、前記仮想外部領域を複数の領域に分け、前記アイコンが前記仮想外部領域のうち、どの領域でドロップされたかによって動作を変更することを特徴としている。【００１８】
これにより、例えばデータの転送先が複数ある場合などのように複数の選択肢がある場合において、一つの動作で選択と機能の実行（転送）を行うことができる。【００１９】
本発明にかかる第６の表示装置は、第４または第５の発明の構成に加え、前記表示制御部は、前記第１の位置で複数の前記アイコンがドロップされると、前記アイコンが一つずつ前記表示装置の表示領域外に出ていくように表示することを特徴としている。【００２０】
これにより、どのようなアイコンがいくつ送信されたかといった情報をユーザに分かりやすく示すことができる。【００２１】
本発明にかかる第７の表示装置は、第４から第６のいずれか一つの発明の構成に加え、前記表示制御部は、前記アイコンが所定の値より大きいとき、前記アイコンのドラッグに応じて前記アイコンを縮小することを特徴としている。【００２２】
これにより、アイコンが大きい場合においても、アイコンが仮想外部領域を経て表示領域外に移動する様子をユーザに分かりやすく示すことができる。【００２３】
本発明にかかる第８の表示装置は、第３から第７のいずれか一つの発明の構成に加え、前記表示制御部は、前記仮想外部領域のうち前記メイン領域に接する部分に、前記表示装置の額縁部分を仮想的に表す仮想額縁表示を行うことを特徴としている。【００２４】
これにより、メイン領域が表示装置を仮想的に表現したものということをユーザにより分かりやすく示すことができる。【００２５】
本発明にかかる第９の表示装置は、第８の発明の構成に加え、前記表示制御部は、前記仮想額縁表示を複数の領域に分割し、前記アイコンが前記仮想額縁表示の分割された領域のうちどこを通過したかによって動作を変更することを特徴としている。【００２６】
これにより、例えばデータの転送方法が複数ある場合において、どの方式を用いるかを簡単に選択することができる。【００２７】
本発明にかかる第１０の表示装置は、第１から第９のいずれか一つの発明の構成に加え、前記表示制御部は、前記アイコンが前記第１の位置から前記第２の位置まで紙のように翻って移動するように表示することを特徴としている。【００２８】
これにより、アイコンが移動する様子をより分かりやすくユーザに示すことができる。【００２９】
本発明にかかる第１１の表示装置は、第１から第１０のいずれか一つの発明の構成に加え、前記表示制御部は、他の表示装置でのドラッグ操作を、自己の表示装置のアイコンに対するドラッグ操作とみなすことを特徴としている。【００３０】
これにより、ユーザが直接操作できない表示装置においても、直接操作できる表示装置を用いて同様の操作性を実現することができる。【００３１】
本発明にかかる表示方法は、表示手段に表示されたアイコンが第１の位置から第２の位置まで移動するように表示する表示制御ステップを含む表示方法であって、前記第１の位置と前記第２の位置との距離が所定の値よりも小さいときは、前記アイコンが前記第１の位置から前記第２の位置へ迂回して移動するように表示することを特徴としている。【００３２】
これにより、アイコンの移動距離が短い場合に、アイコンの移動を長い時間表示することができ、結果としてアイコンがどのように移動したかをユーザに分かりやすく示すことができる。【００３３】
なお、本発明における「アイコン」とは、データやアプリケーションを象徴する縮小画像に限らず、画像のサムネイルのような縮小された画像そのものや、ソフトウェアボタン（キー）のようなものも含むものとする。
【発明の効果】
【００３４】
本発明によれば、アイコンが第１の位置から第２の位置に移動するときに、第１と第２の位置の間の距離が所定の値よりも小さいときはアイコンが迂回して移動するように表示することで、アイコンが端部から表示領域外に出ていく場合や、指などの下に隠れている場合においても、アイコンが移動する様子の視認性を高めることができる。
【図面の簡単な説明】
【００３５】
【図１】本発明の表示装置の機能ブロック図
【図２】本発明の表示装置の概略図
【図３】本発明の表示装置におけるデータ転送の説明図
【図４】本発明の実施例１に記載の表示装置におけるデータ転送の様子を表す説明図
【図５】本発明の実施例１に記載の表示装置におけるデータ転送の様子を表す説明図
【図６】本発明の実施例１に記載の表示装置におけるデータ転送の動作を表すフローチャート
【図７】本発明の実施例１に記載の表示装置におけるデータ削除の様子を表す説明図
【図８】本発明の実施例１に記載の表示装置におけるデータ転送の様子（翻るように表示）を表す説明図
【図９】本発明の実施例１に記載の表示装置におけるデータ転送の様子（仮想外部領域を表示）を表す説明図
【図１０】本発明の実施例１に記載の表示装置におけるデータ転送の様子（仮想外部領域にカメラからの映像を表示）を表す説明図
【図１１】本発明の実施例２に記載の表示装置におけるデータ転送の様子（仮想外部領域にドロップ）を表す説明図
【図１２】本発明の実施例２に記載の表示装置におけるデータ転送の動作（仮想外部領域にドロップ）を表すフローチャート
【図１３】本発明の実施例２に記載の表示装置におけるデータ転送の様子（仮想外部領域を分割）を表す説明図
【図１４】本発明の実施例２に記載の表示装置におけるデータ転送の様子（仮想額縁表示を分割）を表す説明図
【図１５】本発明の実施例２に記載の表示装置におけるデータ転送の様子（複数送信）を表す説明図
【図１６】本発明の実施例２に記載の表示装置におけるデータ転送の様子（巨大アイコン転送）を表す説明図
【図１７】本発明の実施例２に記載の表示装置におけるデータ転送の様子（全体縮小）を表す説明図
【図１８】本発明の実施例３に記載の表示装置におけるデータ転送の様子（受け取る操作）を表す説明図
【図１９】本発明の実施例３に記載の表示装置におけるデータ転送の様子（受け取る操作）を表す説明図
【図２０】本発明の実施例３に記載の表示装置におけるデータ転送の様子（受け取る操作）を表す説明図
【図２１】本発明の実施例３に記載の表示装置のデータ転送の動作（受け取る操作）を表すシーケンス図
【発明を実施するための形態】
【００３６】
（第１の実施形態）
図１は本発明を適用した表示装置１の機能ブロック図である。表示装置１の正面部には、表示手段および入力手段としてのタッチパネル２、情報処理手段としてのＣＰＵ３、記憶手段としてのメモリ４、通信手段５が備えられており、背面部には撮影手段としてのカメラ６が備えられている。メモリ４はプログラムデータ等が格納されているＲＯＭと、処理結果を一時的に保持するためのＲＡＭからなる。また、さらに情報を読み書きするためのＨＤＤ、フラッシュメモリなどを備えていても良い。通信手段５が用いる通信方法としてはＷｉ−Ｆｉ、Ｂｌｕｅｔｏｏｔｈ（登録商標）、赤外線などが考えられるが、これに限るものではない。
【００３７】
ＣＰＵ３は中央制御部７、入力検出部８、表示制御部９からなる。タッチパネル２への接触による入力は、ＣＰＵ３の入力検出部８によって検知され、メイン処理を行う中央制御部７へと送られる。中央制御部７での処理の結果は、表示に関わる制御を行う表示制御部９を通じてタッチパネル２に表示される。
【００３８】
図２は、表示装置１が画像閲覧モードにあるときの初期状態（操作前の状態）の概略図である。表示装置１の正面部は、額縁１０とタッチパネル２からなっており、タッチパネル２のメイン領域１１には、複数のアイコン１２およびデータを削除するためのごみ箱１３が表示されている。なお、このメイン領域１１は上下左右への移動や領域の縮小が可能な一種のいわゆるウィンドウであり、タッチパネル２の表示領域とは必ずしも一致しない。アイコン１２が並んでいる列は、その上を指などの指示体１４でなぞることにより、列全体を左右にスクロールしたり、アイコン１２を画面内でドラッグしたりできる。
【００３９】
図３は、複数の表示装置の間でデータ転送を行う例として、タブレット１５とテレビ１６を用いた説明図である。台１７の上にはテレビ１６と、後の説明に用いるレコーダ１８が置かれており、離れた位置からタブレット１５を操作することによってデータ転送を行う。なお、図３ではテレビ１６とタブレット１５が同じ部屋にあるように描かれているが、別の場所にあっても良い。
【００４０】
また、タブレット１５およびテレビ１６の機能ブロック図はともに図１と同じであるが、入力操作を直接行わない方の表示装置（本例ではテレビ１６）については、タッチパネル２や入力検出部８、カメラ６を必ずしも備えている必要はない。
【００４１】
タブレット１５において画像をテレビ１６へ送信する操作が行われると、互いの通信手段５を介して画像データの送受信が行われ、送信した画像がテレビ１６に表示される。
【００４２】
以下の実施例では、主としてタブレットとテレビとの間での画像のデータ転送について説明するが、組み合わせの中にスマートフォンやパーソナルコンピュータなどが含まれていても良い。また、上述したように、全ての表示装置がタッチパネル等の位置入力手段や入力検出部を備えている必要はなく、少なくとも一つの装置が備えていればよい。また、少なくとも一つの装置が画像を表示できるような表示手段を備えていればよく、例えばタブレットからビデオレコーダにデータを送受信するといった組み合わせでも良い。
【００４３】
また、転送するデータは画像に限らず、動画や文書ファイルのようなものであっても良い。
【００４４】
（実施例１）
続いて、画像の送受信を行う際の操作の詳細について、図４、５の説明図および図６のフローチャートを用いて説明する。
【００４５】
図４（Ａ）のように、指示体１４がタッチパネル２上のアイコン１２に接触しドラッグが開始されると（ステップＳ１００）、タッチパネル２の上端に、転送できる方向を示す送信矢印１９が表示される（ステップＳ１０１）。
【００４６】
次に、図４（Ｂ）のように、アイコン１２を送信矢印１９が表示されている方向のメイン領域１１の端部（第１の位置）までアイコン１２をドラッグさせ、指示体１４をタッチパネル２から離す（以下、「ドロップする」という）（ステップＳ１０２でＹｅｓ）。なお、ここでいうメイン領域１１の端部とは、例えば、アイコン１２の一部がメイン領域１１（ここではタッチパネル２の表示領域と一致する）の外に出ている状態になる位置とする。
【００４７】
このようにしてアイコン１２がメイン領域１１の端部でドロップされると、表示制御部９はアイコン１２をその端部からタッチパネル２の外の位置（第２の位置）まで移動するように表示する。
【００４８】
なお、ここでいう第２の位置とは、例えば、アイコン１２がタッチパネル２の最も近い端部から消える位置（アイコン１２がタッチパネル２の表示領域からちょうど見えなくなる位置）とする。仮に内部的な処理として、アイコン１２をタッチパネル２の端部から大きく離れた位置まで移動させるとしても、それはタッチパネル２上に表示されるものではなく、アイコン１２の視認性に何ら影響を及ぼさないものであるため、このような場合も、アイコン１２はタッチパネル２の表示領域からちょうど見えなくなる位置に移動するものと見なす。
【００４９】
アイコンの移動といった表示に関わる制御は、以降同様に表示制御部９によって行われる。
【００５０】
ここで、ステップＳ１０３において、第１の位置と第２の位置との距離が所定の値（例えばアイコン１２の縦幅）よりも小さい場合は、図５（Ａ）〜（Ｃ）のように、アイコン１２が第２の位置から離れるように移動した後に、画面外の第２の位置に飛んでいくように移動する（ステップＳ１０４）。すなわち、アイコン１２が第１の位置から第２の位置に迂回して移動するように表示する。
【００５１】
ここで、「迂回する」とは上記の例のように一度離れるように移動する場合に限らず、弧状の軌跡を描くように近づく場合や、ジグザグに近づく場合など、最短距離となるように直線移動する場合以外を広く含むものとする。ただし、上記のように端部でアイコンがドロップされた場合には、一度離れるように移動することが、アイコンを画面に長時間表示するためには特に有効である。上記の迂回の説明は、以降においても同様である。
【００５２】
なお、ステップＳ１０３において、第１の位置と第２の位置との距離が所定の値以上である場合は、ステップＳ１０５のように、アイコン１２は第２の位置まで直線的に移動する。
【００５３】
また、ステップＳ１０２において、メイン領域１１の端部以外の位置でアイコン１２がドロップされた場合は、アイコン１２を元の位置に戻す（ステップＳ１０６）。
【００５４】
以上の説明のように、本発明ではアイコン１２の移動の様子を長く表示することができるため、アイコン１２がタブレット１５の画面の端部から画面外へと飛んでいく様子を、ユーザに分かりやすく示すことができる。
【００５５】
なお、ステップＳ１０１において、送信矢印１９が表示される位置をタッチパネル２の上端としたが、これはタブレット１５を持つユーザが転送先の機器と対面している場合が多いと考えられるためであるので、送信先の装置の位置を検出する仕組みなどを備えている場合などでは、上端以外の端部に表示するようにしても良い。また、送信矢印１９はドラッグ方向を分かりやすくするためのものであるので、必ずしも表示する必要はない。
【００５６】
また、本実施例１ではアイコン１２がメイン領域の端部でドロップされた時点で画面外の第２の位置へと飛んでいくように表示するようにしていたが、指示体１４をタッチパネル２から離すような意図的なドロップが行われなくても、第１の位置までドラッグが行われた場合は、アイコン１２をドロップさせ、迂回して移動するように表示しても良い。
【００５７】
この場合においては、ドラッグ中のアイコン１２は指示体１４にも隠れている状態であるため、アイコン１２を一度第２の位置から離れるように（例えば中心方向に）向かわせることによって、アイコン１２が指示体１４に隠れないような位置に移動のアニメーションを表示することができるという効果も奏する。
【００５８】
上述の送信矢印やドラッグに関する変形例は、以降説明する実施例２、３においても同様である。
【００５９】
上記の例においては、アイコン１２がタブレット１５の表示領域外に移動するような場合について説明したが、タブレット１５のメイン領域１１内で移動するような場合も同様であることを以下に説明する。
【００６０】
図７は、アイコン１２がタブレット１５の表示領域内で移動する場合の動作の一例である。図７（Ａ）において、アイコン１２を長押しするなどの操作を行うと、図７（Ｂ）のように、削除ボタン２０やコピーボタン２１が出現する。
【００６１】
ここで、削除ボタン２０を押すとアイコン１２がごみ箱１３まで移動するようなアニメーションが行われるが、図７（Ｂ）においてはアイコン１２の移動前の位置（第１の位置）とごみ箱１３の位置（第２の位置）との距離が所定の値（例えばアイコン１２の縦幅）よりも小さいため、アイコン１２は図７（Ｃ）（Ｄ）のように、ごみ箱１３まで迂回して移動する。
【００６２】
なお、アイコン１２を移動距離に応じて次第に小さくなるように表示し、アイコン１２がごみ箱１３に吸い込まれていくように表現しても良い。
【００６３】
また、コピーボタン２１が押された場合も、コピー元のアイコンの位置（第１の位置）からコピー先の位置（第２の位置）との距離に応じて、同様に移動アニメーションを表示すれば良い。
【００６４】
これにより、アイコン１２の移動先と移動元の直線距離が短いときに、アイコン１２の移動をより長い時間ユーザに見せることができ、結果として何が行われたかを分かりやすく提示することができる。
【００６５】
図８は、図４〜６で説明した実施例の変形例である。図４のように、アイコン１２がメイン領域１１の端部（第１の位置）でドロップされると、移動先である画面外の第２の位置との距離が所定の値より小さい場合は、図８（Ａ）（Ｂ）のように、あたかも紙が翻るかのように、アイコン１２がメイン領域１１内に立体的な表現で第２の位置から離れるように（中心方向に）移動し、図３（Ｃ）のように画面外の第２の位置へと飛んでいく（迂回して移動する）。
【００６６】
これにより、アイコン１２がメイン領域１１内に戻ってくることをより自然に表現することができる。
【００６７】
なお、図８（Ａ）において、アイコン１２のうちメイン領域１１の表示範囲外にある部分は、説明を分かりやすくするためのものであり、実際には表示されない。
【００６８】
また、実施例１のさらなる変形例として、図９のような表現を行っても良い。
【００６９】
この変形例においては、図４のように、アイコン１２がメイン領域１１の端部でドロップされると、移動先である画面外の第２の位置との距離が所定の値より小さい場合は、図９（Ａ）、（Ｂ）のように、アイコン１２が第２の位置から離れる方向（下方向）に移動するが、それとともにメイン領域１１も下方向に移動する。
【００７０】
メイン領域１１が下方向に移動したことによってできる上部の領域は、そこがタブレット１５の外部の領域であることを仮想的に表す仮想外部領域２２となり、メイン領域１１と区別がつくように色や模様などが変更されて表示される。
【００７１】
さらに、メイン領域１１と仮想外部領域２２の間には、タブレット１５の額縁１０を仮想的に表現した仮想額縁表示２３が表示される。
【００７２】
そして、アイコン１２が中心付近に達した後、移動方向が上方向に転じると、図９（Ｃ）のように、メイン領域１１や仮想外部領域２２の表示位置は固定され、アイコン１２のみが上方向に移動する。
【００７３】
そして、アイコン１２がタブレット１５の画面外の第２の位置に飛んでいき、画面上に表示されなくなったら、図９（Ｄ）のように、メイン領域１１の位置が元に戻る。
【００７４】
なお、図９（Ａ）（Ｂ）のようにアイコン１２が下方向に移動しているときは、メイン領域１１の下方向への移動量は、同時点でのアイコン１２の下方向への移動量よりも大きくすることが望ましい。このようにすれば、アイコン１２が相対的にメイン領域から仮想外部領域２２の方向（本例では上方向）に移動することになるため、データが転送されていることを分かりやすく表現することができる。
【００７５】
また、この仮想額縁表示２３は、タブレット１５が本当に下方向に移動したかのような印象をより強く与えるために、幅、色、模様などを、実際の額縁１０と同様にすることが望ましい。したがって、タブレット１５の額縁１０の部分に物理ボタンやカメラ穴などが存在する場合は、仮想額縁表示２３にも同様の外観となるように表示を行うと、より効果的である。
【００７６】
さらには、タブレット１５が撮影手段としてのカメラ６を備えている場合は、図１０のように、仮想外部領域２２にカメラ６で撮影した映像を表示するようにしても良い。
【００７７】
図１０においては、タブレット１５の背面に搭載されたカメラ６が、テレビ１６を含む実空間を撮影し、その映像を仮想外部領域２２に表示することによって、アイコン１２がタブレット１５の外に移動することをユーザにより実感させることができる。
【００７８】
なお、図１０においては、アイコン１２がタブレットの上端部に向けて消えていくように表示したが、第２の位置を仮想外部領域２２内の位置とし、その位置に向けて少しずつ小さくなって消えていくように表示しても良い。こうすることにより、アイコン１２が実際に転送先の装置に向けて飛んで行っているかのような印象を与えることができる。
【００７９】
このような場合においては、仮に第１の位置と第２の位置の距離が小さくても、アイコン１２が少しずつ小さくなっていくアニメーションをユーザが観察することができるため、アイコン１２を迂回して移動させなくても視認性を高めることができる。
【００８０】
また、ユーザがタブレット１５を水平に持って操作を行った場合においては、仮想外部領域２２には床面などが表示されることになるが、この場合においてもアイコン１２がタブレット１５の外に移動すること示す点においては同様の効果を持つ。
【００８１】
（実施例２）
次に、ドラッグに対応してメイン領域１１の位置を変更する実施例について、図１１の説明図および図１２のフローチャートを用いて説明する。
【００８２】
図１１（Ａ）において、アイコン１２を上方向にドラッグし始めると（ステップＳ２００）、そのドラッグ距離に応じて、図１１（Ｂ）のように、メイン領域１１がドラッグとは逆の下方向に移動し（ステップＳ２０７）、上方向に仮想外部領域２２および仮想額縁表示２３が出現する。仮想外部領域２２内には転送先の機器（本例ではテレビ１６）を表すテレビマーク２４が表示され、転送先の機器が何であるかが分かりやすくなっている。
【００８３】
そして、ステップＳ２０８において、図１１（Ｃ）のように、アイコン１２がメイン領域の端部の第１の位置（例えばアイコン１２の少なくとも一部がメイン領域１１の外になる位置）までドラッグされると、転送が行える状態になったことを示すために仮想外部領域２２の色や模様が変化する（ステップＳ２０９）。
【００８４】
ここで、アイコン１２がドロップされると（ステップＳ２０１でＹｅｓ）、アイコン１２はタッチパネル２から消える第２の位置まで移動するが、ここでは第１と第２の位置の距離が所定の値（例えばアイコン１２の縦幅）よりも大きいため（ステップＳ２０３でＮｏ）、図１１（Ｄ）のように、アイコン１２は第２の位置へ直線的に移動するように表示される（ステップＳ２０５）。そして、アイコン１２がタブレット１５上に表示されなくなったら、メイン領域１１の位置は元に戻る（ステップＳ２０６）。
【００８５】
このようにすることにより、アイコン１２をどの位置でドロップさせるとアイコン１２のデータが転送されるのかが分かりやすくなる。さらに、メイン領域１１を下方に移動させることにより、必ずしも実施例１のようにアイコン１２の一部をタッチパネル２の端部までドラッグを行わせなくてもアイコン１２をメイン領域１１から出る位置までドラッグすることができるため、第１の位置（ドロップした位置）とタッチパネル２の端部までの距離を長くすることができ、その結果としてアイコン１２の移動アニメーションをより長く表示することができる。
【００８６】
なお、上記の説明では上方向へのドラッグが行われるとメイン領域１１が下方向に移動する例について説明したが、例えば右方向にドラッグされるとメイン領域１１が逆の左方向に移動するようにしても良い。
【００８７】
また、本実施例の変形例として、転送先の機器として複数の候補がある場合は、仮想外部領域２２を複数の領域に分割するようにしても良い。
【００８８】
図１３は、転送先の機器の候補としてテレビ１６に加え、図３のようにレコーダ１８が存在する場合の例である。これを用いて、転送時の動作の変更について説明を行う。
【００８９】
転送を行える機器の候補が複数ある場合、図１３（Ｂ）のように、仮想外部領域がテレビマーク２４を含む仮想外部領域２２Ａとレコーダマーク２５を含む仮想外部領域２２Ｂに分割されて表示される。
【００９０】
ここで、メイン領域１１の端部かつ、仮想外部領域２２Ｂにアイコン１２の少なくとも一部が含まれるような位置までドラッグを行うと、仮想外部領域２２Ｂの色や模様が変化し、そこでアイコン１２をドロップすると、レコーダ１８にアイコン１２が表すデータが送信される。
【００９１】
これにより、送信先の機器の候補が複数存在する場合でも、直感的に所望の機器へとデータを送信することができる。
【００９２】
なお、分割された仮想外部領域２２のうちどの領域でドロップされたかによって動作を変更する例としては、上記のような転送先を異ならせることに限らず、転送先のフォルダ、転送方式（赤外線やＷｉ−Ｆｉなど）、転送先のＷｅｂサイト等を異ならせるといったものでもよい。
【００９３】
また、アイコン１２が複数の仮想外部領域に重なっている場合は、重なっている面積の大きいほうの装置に転送するようにしても良いし、両方の装置に転送するようにしても良い。
【００９４】
また、上述のような仮想外部領域を分割することとは別の方法として、仮想額縁表示２３を分割し、そのうちどの領域をアイコン１２が通ったかで動作を変更するようにしてもよい。
【００９５】
例えば、転送の種類として、ＣＯＰＹ（コピー：ファイルを複製する）、ＭＯＶＥ（ムーブ：ファイルを移動する）、ＶＩＥＷ（ビュー：ファイルはそのままで、ファイルの閲覧だけを行う）のように複数の候補がある場合は、図１４のように、仮想額縁表示を分割し、そのうちどの領域をアイコン１２が通ったかで転送の種類を決定するようにしても良い。
【００９６】
この場合、例えば図１４（Ｂ）のように、アイコン１２を上方向に移動させたときに、仮想額縁表示が仮想額縁表示２３Ａ（ＣＯＰＹ）、２３Ｂ（ＭＯＶＥ）、２３Ｃ（ＶＩＥＷ）のように分割される。
【００９７】
そして、図１４（Ｃ）の軌跡２７で表されるように、仮想額縁表示２３Ａを通るようにアイコン１２を移動させると、仮想額縁表示２３Ａの色が変わる。
【００９８】
そして、アイコン１２が仮想外部領域２２Ｂにあるときにドロップを行うと、アイコン１２が表すデータがレコーダ１８にコピー（ＣＯＰＹ）される。
【００９９】
これにより、複数の転送先と複数の転送方法のような二種類の設定がある場合に、一度のドラッグ操作によって、選ばれた二種類の設定に基づいて動作を変更することができる。
【０１００】
なお、転送先の機器が対応していない転送方法の領域を通過したときには、その機器の表示を消すようにしても良い。例えばテレビ１６が保存領域を持たず、コピーやムーブが行えない場合は、アイコン１２が仮想額縁表示２３Ａや仮想額縁表示２３Ｂを通過したときに仮想外部領域２２Ａやテレビマーク２４を消すようにしても良い。
【０１０１】
次に、実施例２のさらなる変形例として、複数の画像データが含まれたフォルダごと転送する場合を考える。
【０１０２】
図１５のように、メイン領域１１の端部で複数の画像を含むフォルダ２８がドロップされたときは、フォルダ２８の中に含まれる画像のアイコン１２Ａ〜アイコン１２Ｄを仮想外部領域２２内に表示し、順次画面外に飛んでいく様子を表示する。
【０１０３】
これにより、どのような画像がいくつ送信されたかといった情報をユーザに分かりやすく示すことができる。なお、図１５（Ａ）（Ｂ）においては、フォルダ２８の中にアイコンが表示されているが、フォルダの中身は必ずしも見えている必要はない。
【０１０４】
タブレット１５での画像閲覧においては、図１６（Ａ）のように、画像がタッチパネル２の表示領域全体に表示されている場合も考えられる。なお、このように表示領域の大部分を占める画像は一般に「アイコン」とは呼ばれないが、簡単のためにこの画像もアイコン１２と表現する。
【０１０５】
このようにアイコン１２の大きさが所定の値（例えばタッチパネル２の面積の半分）よりも大きい場合は、図１６（Ｂ）（Ｃ）のように、上方向へのドラッグ距離が増えるにつれて、アイコン１２を小さくし、メイン領域１１や仮想外部領域２２の変化を見えやすくする。
【０１０６】
これにより、アイコン１２が大きい場合においても、同様の操作性でデータの転送を行うことができる。
【０１０７】
また、図１７（Ｂ）（Ｃ）のように、アイコン１２の上方向へのドラッグに応じて、メイン領域１１を逆の下方向に縮小して表示するようにして、アイコン１２が仮想外部領域２２に出ていく様子をより分かりやすく表現するようにしても良い。なお、「下方向への縮小」とは、図１７のようにメイン領域１１の縦横比を維持したまま、メイン領域１１の中心が下方向に移動するようなものであっても良いし、縦方向のみで縮小が行われる（つぶれたように表示する）ようなものであっても良い。
【０１０８】
なお、本実施例２においては、アイコン１２の少なくとも一部が仮想外部領域２２に含まれた時に仮想外部領域２２の色を変更したり、テレビマーク２４を表示したりすることについて説明したが、これらは転送に関わる情報をユーザにより分かりやすく提示するためのものであるので、本発明において必ずしも行わなくて良い。
【０１０９】
（第２の実施形態）
次に、テレビ１６からタブレット１５にデータを転送する場合について、図１８〜図２１の説明図およびシーケンス図を用いて説明する。なお、テレビ１６がタッチパネルなどの位置入力手段を備えている場合は、下記の実施形態によらず、第１の実施形態のようにテレビ１６側を直接操作してタブレット１５側にデータ転送を行っても良い。
【０１１０】
（実施例３）
図１８は、タブレット１５からテレビ１６に「Ａ」という画像を送った後の状態である。前述したように、このように画像がテレビ１６のメイン領域２９の大部分を占めているような場合は一般に「アイコン」とは呼ばれないが、簡単のためこれもアイコン１２として説明を行う。
【０１１１】
このとき、タブレット１５には受信矢印３０が表示されており、画像をタブレット１５側に戻す（テレビ１６からタブレット１５に画像を送信する）ことができる方向を示している。
【０１１２】
ここで、図１９（Ａ）〜（Ｃ）のように、タブレット１５上の受信矢印３０が下側にドラッグされると、その座標データがテレビ１６に送られる（ステップＳ４０１）。
【０１１３】
そして、テレビ１６では、その受信した座標データに基づいて、図１９（Ｂ）（Ｃ）のように、ドラッグ距離に応じてテレビ１６の画像のアイコン１２が縮小しながら下側に移動しつつ（ステップＳ５０１）、仮想外部領域２２が出現し、上側に拡大する。
【０１１４】
なお、図１９（Ｂ）（Ｃ）においては、仮想額縁表示２３とともに、テレビ１６のスタンド部分を仮想的に表現した仮想スタンド表示３１も表示しているが、視認性・操作性を妨げるようであれば表示を省略しても良い。
【０１１５】
そして、アイコン１２がテレビ１６のメイン領域２９の端部までドラッグされると、仮想外部領域２２の色や模様が変化する。そこで指示体１４をタッチパネル２から離すと（ステップＳ５０２でＹｅｓ）、図２０のように、アイコン１２がテレビ１６からタブレット１５に移動するように表示され、アイコン１２が表すデータも送信される（ステップＳ５０３、Ｓ４０２）。そして、送受信が完了すると、テレビ１６のメイン領域２９は元の位置に戻る（ステップＳ５０４）。
【０１１６】
このようにすることにより、送受信を行う装置の一方がタッチパネル等の入力手段を備えていれば、その入力情報を他方の装置に送信することで、他方の装置を直接操作することなく、実施形態１で説明したものと同様の操作方法や画面表示で送信と受信の両方を行うことが可能となる。また、送信先の装置が離れている場合においても、手元の表示装置を操作するだけで、データの送受信を行うことができる。
【０１１７】
なお、テレビ１６に複数のアイコン１２が表示されている場合などのように、受信する画像を選択する必要があるときは、事前にタブレット１５上にテレビ１６と同じ画面を表示し、一つのアイコンが選択された場合に、図１９（Ａ）の状態に移るようにしても良い。
【０１１８】
また、本実施例３では受信矢印３０のドラッグによりアイコン１２の移動が行われるようにしたが、受信矢印３０とは別の場所を下方向にドラッグすることによってアイコン１２の移動が行われるようにしても良い。
【０１１９】
また、タブレット１５に同じ画像データが存在するときは、テレビ１６からタブレット１５に画像データを送るのではなく、単にテレビ１６に表示されている画像を消去するようにすれば良い。これは例えば、タブレット１５からテレビ１６にＶＩＥＷ（ファイルはそのままで、ファイルの閲覧だけを行う）で送った画像を閲覧している状態を解除する（テレビ１６を元の表示に戻す）場合などに当てはまる。
【０１２０】
本発明の第１、２の実施形態においては、タッチパネルを備える表示装置について説明したが、タッチパネルを備えず、例えばマウスによってアイコンを操作するような場合であっても同様に、アイコンの視認性を高めることが可能である。
【産業上の利用可能性】
【０１２１】
本発明によれば、アイコンが移動する際の視認性を高める表示装置を提供することができる。
【符号の説明】
【０１２２】
１  表示装置
２  タッチパネル（表示手段・入力手段）
３  ＣＰＵ（情報処理手段）
４  メモリ（記憶手段）
５  通信手段
６  カメラ（撮影手段）
７  中央制御部
８  入力検出部
９  表示制御部
１０  額縁
１１  メイン領域
１２  アイコン
１３  ごみ箱
１４  指示体
１５  タブレット
１６  テレビ
１７  台
１８  レコーダ
１９  送信矢印
２０  削除ボタン
２１  コピーボタン
２２  仮想外部領域
２３  仮想額縁表示
２４  テレビマーク
２５  レコーダマーク
２７  軌跡
２８  フォルダ
２９  メイン領域
３０  受信矢印
３１  仮想スタンド表示
【図１】
2013047541.tif 000003
【図２】
2013047541.tif 000004
【図３】
2013047541.tif 000005
【図４】
2013047541.tif 000006
【図５】
2013047541.tif 000007
【図６】
2013047541.tif 000008
【図７】
2013047541.tif 000009
【図８】
2013047541.tif 000010
【図９】
2013047541.tif 000011
【図１０】
2013047541.tif 000012
【図１１】
2013047541.tif 000013
【図１２】
2013047541.tif 000014
【図１３】
2013047541.tif 000015
【図１４】
2013047541.tif 000016
【図１５】
2013047541.tif 000017
【図１６】
2013047541.tif 000018
【図１７】
2013047541.tif 000019
【図１８】
2013047541.tif 000020
【図１９】
2013047541.tif 000021
【図２０】
2013047541.tif 000022
【図２１】
2013047541.tif 000023
【国際調査報告】
2013047541.tif 000024
2013047541.tif 000025